(57)【特許請求の範囲】
【請求項１】
第１方向に延設される先端部が地盤に対して前記第１方向に打ち込まれるアンカー本体と、
前記第１方向において互いに離間して前記アンカー本体の前記先端部に設けられる第１係止部および第２係止部と、
前記アンカー本体の先端部が挿通される基部と、前記基部から前記アンカー本体の先端と反対側に向かって延設される複数の羽根部材とを有し、前記基部に対して前記アンカー本体の先端と反対側で前記基部および前記各羽根部材で囲まれる捕集空間が形成され、前記基部および前記各羽根部材が一体的に前記第１係止部および前記第２係止部の間で前記アンカー本体の先端部に対して可動自在となっている抜止部材とを備え、
前記抜止部材は、
前記基部と前記各羽根部材とを繋げた状態で単一のバネ鋼板から抜き取られた後で前記基部に対して前記各羽根部材を折り曲げたものであり、前記アンカー本体が地盤に打ち込まれるときに前記地盤から受ける抵抗に応じて前記アンカー本体の先端部に対する姿勢を変化しながら前記アンカー本体とともに前記地盤内に入り込み、前記捕集空間内に流入する前記地盤中の土石を捕集することを特徴とするアンカー。
【請求項２】
前記複数の羽根部材が前記基部から前記アンカー本体の先端と反対側に向かって裾広がり状に傾斜するように、前記複数の羽根部材の一方端部が前記基部と繋がる請求項１に記載のアンカー。
【請求項３】
隣り合う羽根部材の一方端部は互いに離間する請求項２に記載のアンカー。
【請求項４】
隣り合う羽根部材の他方端部は互いに離間する請求項２または３に記載のアンカー。
【請求項５】
前記複数の羽根部材のうち少なくとも１枚は、前記アンカー本体に引き抜き力が与えられたときに前記地盤から受ける抵抗によって前記基部に対する傾斜角度が拡大する向きに変形可能である請求項４に記載のアンカー。
【発明の詳細な説明】
【技術分野】
【０００１】
この発明は、網、ワイヤーロープ等を固定するために使用されるアンカーに関するものである。
【背景技術】
【０００２】
道路に面した法面からの落石を防止するために、このような法面に対して落石防止網を張り巡らせている。また、法面を構成する地盤に対してアンカーの先端部を埋め込む一方、地盤表面上に残っているアンカー後端部に落石防止網やワイヤーロープ等を係留して落石防止網を地盤にしっかりと固定している。このように落石防止網などを固定するためのアンカーとして、例えば特許文献１に記載のものが知られている。この特許文献１に記載のアンカーは、帯板をスパイラル状に形成したアンカー本体の上部に係留を兼ねる回転止部材が取付けられている。そして、回転止部材が取り外された状態でアンカー本体が回転駆動されながら地中に埋込まれる。
【先行技術文献】
【特許文献】
【０００３】
【特許文献１】特許第３１１１２５２号公報（例えば、図６、図９等）
【発明の概要】
【発明が解決しようとする課題】
【０００４】
特許文献１に記載のアンカーを地盤に埋め込むためにアンカー本体を回転駆動させる必要があり、施工性の面で改善の余地があった。また、上記のように施工されたアンカーに対しては、落石防止網などから引張力が与えられ、これがアンカーに対する引抜力として作用する。したがって、落石防止網などを長期間にわたって安定的に固定するためには、地盤からのアンカーの引抜抵抗を従来のアンカーよりも高めることが重要である。
【０００５】
この発明は上記課題に鑑みなされたものであり、優れた施工性で地盤からの引抜抵抗が高く、地盤から抜け難いアンカーを提供することを目的とする。
【課題を解決するための手段】
【０００６】
本発明にかかるアンカーは、上記目的を達成するため、第１方向に延設される先端部が地盤に対して前記第１方向に打ち込まれるアンカー本体と、前記第１方向において互いに離間して前記アンカー本体の前記先端部に設けられる第１係止部および第２係止部と、前記アンカー本体の先端部が挿通される基部と、前記基部から前記アンカー本体の先端と反対側に向かって延設される複数の羽根部材とを有し、前記基部に対して前記アンカー本体の先端と反対側で前記基部および前記各羽根部材で囲まれる捕集空間が形成され、前記基部および前記各羽根部材が一体的に前記第１係止部および前記第２係止部の間で前記アンカー本体の先端部に対して可動自在となっている抜止部材とを備え、前記抜止部材は、前記基部と前記各羽根部材とを繋げた状態で単一のバネ鋼板から抜き取られた後で前記基部に対して前記各羽根部材を折り曲げたものであり、前記アンカー本体が地盤に打ち込まれるときに前記地盤から受ける抵抗に応じて前記アンカー本体の先端部に対する姿勢を変化しながら前記アンカー本体とともに前記地盤内に入り込み、前記捕集空間内に流入する前記地盤中の土石を捕集することを特徴としている。
【０００７】
このように構成されたアンカーでは、アンカー本体を地盤に打ち込むことで地盤に対してアンカー本体の先端部が埋め込まれる。この先端部に対しては、上記のように構成された抜止部材が設けられている。すなわち、抜止部材は基部と複数の羽根部材とで囲まれる捕集空間をアンカー本体の先端の反対側に有しており、地盤へのアンカー本体の打込によってアンカー本体とともに地盤内に入り込む。また、抜止部材の捕集空間に地盤中の土石が流入して抜止部材（基部＋複数の羽根部材）で捕集され、これが地盤からのアンカー本体の引抜抵抗となる。このように従来のようにアンカー本体を回転させることなく、単なるアンカー本体の打込作業のみで地盤から抜け難いアンカーが得られる。
【０００８】
一方、このようにアンカー本体の先端部に抜止部材を設けた場合、地盤へのアンカー本体の打込時に抜止部材が打込抵抗となり、アンカー施工性を低下させる要因に作用するおそれがある。しかしながら、本発明では、アンカー本体の先端部に第１係止部および第２係止部を設け、その間で上記抜止部材を先端部に対して可動自在としているため、アンカー本体を地盤に打ち込むときに抜止部材は地盤から受ける抵抗に応じてアンカー本体の先端部に対する姿勢を変化させる、つまり当該姿勢変化によりアンカー本体に作用する抵抗を減じている。したがって、地盤から抜け難いアンカーを優れた施工性で地盤に埋め込むことができる。また、抜止部材の基部と各羽根部材とを繋げた状態で単一のバネ鋼板から抜き取られた後で基部に対して各羽根部材を折り曲げて抜止部材を形成することにより、バネ特性を利用して羽根部材に可撓性および弾発力を与えることができる。
【０００９】
ここで、複数の羽根部材の一方端部が基部と繋がるとともに複数の羽根部材が基部からアンカー本体の先端と反対側に向かって裾広がり状に傾斜するように構成してもよい。このように構成することで、アンカー本体を第１方向に確実にかつ安定的に案内してアンカーの施工性をさらに高めることができる。また、このような構成を採用することで打込抵抗を低減することができる。
【００１０】
また、隣り合う羽根部材の一方端部を互いに離間させてもよく、これによりアンカー本体の先端側で複数の羽根部材の間に隙間が形成され、アンカー本体の打ち込みとともに隙間を介して地盤中の土が捕集空間に効果的に流れ込む。このため、地盤へのアンカー本体の打込抵抗が低減するとともに、地盤からのアンカー本体の引抜抵抗を高めることができる。
【００１１】
また、隣り合う羽根部材の他方端部についても一方端部側と同様に互いに離間させてもよく、これにより複数の羽根部材の間に形成される隙間を介して地盤中の土を捕集空間に効率的に流入させて打込抵抗の低減と引抜抵抗の向上とが同時に達成される。
【００１２】
また、複数の羽根部材のうち少なくとも１枚が、アンカー本体に引抜力が与えられたときに地盤から受ける抵抗によって基部に対する傾斜角度が拡大する向きに変形可能となるように構成してもよい。この場合、アンカー本体に対する引抜力の発生によって羽根部材が変形して地盤に対して抜け難くなる抵抗が発生してアンカーを抜け難い状態とする。
【発明の効果】
【００１４】
以上のように、本発明によれば、基部と複数の羽根部材で構成される抜止部材をアンカー本体の先端部に対して可動自在に設けているので、抜け難いアンカーを地盤に対して優れた施工性で埋め込むことができる。
【図面の簡単な説明】
【００１５】
【図１】本発明にかかるアンカーの一実施形態を示す斜視図である。
【図２】図１のアンカーで使用される引き抜き防止金具を示す図である。
【図３】引き抜き防止金具の動作態様を模式的に示す図である。
【図４】図１のアンカーを地盤に施工する手順を模式的に示す図である。
【図５】本発明にかかるアンカーの他の実施形態を示す図である。
【図６】本発明にかかるアンカーの別の実施形態を示す図である。
【発明を実施するための形態】
【００１６】
図１は本発明にかかるアンカーの一実施形態を示す斜視図であり、同図（ａ）はアンカーの全体斜視図であり、同図（ｂ）は同図（ａ）のＲ部分の拡大図である。また、図２は図１のアンカーで使用される引き抜き防止金具を示す図であり、同図（ａ）は平面図であり、同図（ｂ）は側面図である。さらに、図３は引き抜き防止金具の動作態様を模式的に示す図である。
【００１７】
このアンカー１は、図１に示すように、アンカー本体１０と、２つのＥリング２１、２２と、引き抜き防止金具３０とを有している。これらのうちアンカー本体１０は、第１方向Ｘに延びる棒状の鋼材を加工してなるものであり、一方端部は先行して地盤中に埋め込まれる先端部を構成する一方、後端部は地盤表面上に残って落石防止網やワイヤーロープ等の被係留物４を係留する係留部を構成する。この実施形態では、アンカー本体１０の後端部１１は図１（ａ）に示すように側面視で逆レ字状に折り曲げられ、その谷部１２で落石防止網などの被係留物４を係止して係留可能となっている。また、折り曲げ部の山部（頭部）１３をハンマーなどで叩くことでアンカー本体１０の先端部１４を地盤に打ち込むことが可能となっている。
【００１８】
アンカー本体１０の先端部１４は、先端に近づく程尖るように円錐形に形成された円錐部１５と、その円錐部１５よりも後端側（図１中の上方側）に形成された２つのリング溝１６、１７とを有する。
【００１９】
これらのリング溝１６、１７は第１方向Ｘにおいて互いに離間して先端部１４の外周側面で円環溝状に設けられている。なお、この実施形態では、第１方向Ｘにおいてリング溝１６とリング溝１７とはアンカー本体１０の直径と同程度だけ離間されているが、この離間距離に関しては任意である。また、リング溝１６、１７には、Ｅリング２１、２２がそれぞれ装着され、次に説明する引き抜き防止金具３０がＥリング２１、２２の間でアンカー本体１０の先端部１４に遊挿されている。このようにＥリング２１、２２が第１方向Ｘにおける引き抜き防止金具３０の可動範囲を規定している。
【００２０】
この引き抜き防止金具３０は、地盤中に先端部１４と一体的に地盤中に入り込んで地盤中に埋設されることによってアンカー本体１０に引抜抵抗を与えるものであり、金属材料で構成されている。引き抜き防止金具３０は、図２に示すように中心部に円形の貫通孔３１ａを有するドーナツ盤状の基部３１と、その基部３１の外周縁に繋がる４つの羽根部材３２とを有する。なお、基部３１と各羽根部材３２とが繋がっている部分は折り曲げ箇所となっており、具体的には、次のようにして作製された後、アンカー本体１０に取り付けられる。
【００２１】
まず、基部３１から各羽根部材３２が平面に展開された略十字形状で、かつ基部３１の中央にアンカー本体１０の直径よりも大きく、かつＥリング２１、２２の外径よりも小さな内径の貫通孔３１ａを有する平板を、単一の金属板、例えばバネ鋼板から型抜きした後、アンカー本体１０の先端と反対側（図１の上側）に向かって裾広がり状に傾斜するように、基部３１と羽根部材３２との境界部分を同じ方向に折り曲げる。このように、本実施形態では、１回のプレス成形により引き抜き防止金具３０が作製される。このように基部３１と各羽根部材３２とが単一の金属板で構成されているので、部品点数を少なくすることができる。そして、このようにして形成された引き抜き防止金具３０では、基部３１に対してアンカー本体１０の先端の反対側（図１の上側）で、基部３１および４枚の羽根部材３２で囲まれる捕集空間ＣＳが形成されており、後述するようにアンカー１を地盤に施工した際、捕集空間ＣＳに流入する地盤中の土石を引き抜き防止金具３０で捕集し、これが引抜抵抗として作用する。
【００２２】
また、各羽根部材３２の一方端部は上記境界部分を介して基部３１と繋がっているが、図１や図２に示すように、隣り合う羽根部材３２の一方端部は互いに離間している。このため、アンカー本体１０の先端側で複数の羽根部材３２の間に隙間３３が形成され、地盤へのアンカー本体１０の打ち込み時、隙間３３を介して地盤中の土や細かい石や砂が捕集空間ＣＳに流れ込み、地盤へのアンカー本体１０の打込抵抗を低減させるとともに、地盤からのアンカー本体１０の引抜抵抗を高めることができる。
【００２３】
また、隣り合う羽根部材３２の他方端部（自由端部）についても一方端部側（基部３１側）と同様に互いに離間するように羽根部材３２の形状が規定されている。このように隙間３３が基部３１側から羽根部材３２の先端側まで繋がり大きく空いているため、それらの隙間３３を介して地盤中の土砂や細かい石を捕集空間ＣＳに効率的に流入させて打込抵抗の低減および引抜抵抗の増大を同時に達成させることが可能となっている。
【００２４】
さらに、基部３１および羽根部材３２は単一の金属板から型抜きされ、基部３１に対して羽根部材３２が折り曲げられて整形されているため、地盤から受ける抵抗によって折り曲げ部（基部３１と羽根部材３２との境界部分）を支点として可撓可能となっている。特に、本実施形態ではバネ鋼から型抜きしているため、各羽根部材３２の弾性変形範囲は広く、各羽根部材３２が受ける抵抗が弾性限以下である場合、各羽根部材３２は抵抗の減少に伴って初期状態に戻る。なお、弾性限を超える応力が地盤から各羽根部材３２に与えられると、例えば図３の右欄に示すように羽根部材３２は塑性変形して地盤に対する引抜抵抗を高めた状態で地盤中に埋設される。
【００２５】
このように構成された引き抜き防止金具３０は次のようにしてアンカー本体１０に取り付けられる。この実施形態では、２つのＥリングのうち先端側Ｅリング２１がリング溝１６に装着されていない状態で、引き抜き防止金具３０の捕集空間ＣＳをアンカー本体１０の先端に対向させたまま引き抜き防止金具３０の貫通孔３１ａに対してアンカー本体１０の先端部１４を挿入し、引き抜き防止金具３０をアンカー本体１０に対して串刺し状態に取り付ける。そして、引き抜き防止金具３０をリング溝１６、１７の間に位置させたまま先端側のＥリング２１をリング溝１６に装着する。これによって、図１（ａ）に示すアンカー１が作製される。
【００２６】
こうして作製されたアンカー１では、２つのＥリング２１、２２で挟まれた範囲で引き抜き防止金具３０の貫通孔３１ａにアンカー本体１０の先端部１４が遊挿されているため、図３に示すように、
・上下方向（第１方向Ｘ）に昇降自在、
・アンカー本体１０を回転中心として回転自在、
・アンカー本体１０に対して傾斜自在
となっている。このように本実施形態では、Ｅリング２１、２２が本発明の「第１係止部」および「第２係止部」としてそれぞれ機能し、それらの間でアンカー本体１０の先端部１４に対して本発明の「抜止部材」に相当する引き抜き防止金具３０が種々の態様で可動自在となっている。したがって、アンカー１を地盤に施工する際、引き抜き防止金具３０は地盤から受ける抵抗に応じてアンカー本体１０の先端部１４に対する姿勢を変化させてアンカー１の施工時に要する力を低減させる。以下、図４を参照しつつ石が含まれる地盤へのアンカー１の施工について説明する。
【００２７】
図４は図１のアンカーを地盤に施工する手順を模式的に示す図である。まず、図１に示すアンカー１を準備し、このアンカー１のアンカー本体１０の先端を地盤５の表面に突き立てた状態で山部（頭部）１３をハンマーなどで叩くことでアンカー本体１０の先端部１４を第１方向Ｘに打ち込んでいく（図４（ａ））。これにより地盤５内では、同図（ａ）、（ｂ）に示すように、引き抜き防止金具３０は後端側のＥリング２２で係止されながら地盤５内を第１方向Ｘに進行する。このとき、本実施形態では引き抜き防止金具３０をバネ鋼で構成しているので、地盤５からの抵抗を受けて４枚の羽根部材３２の他方端部（自由端部）はアンカー本体１０に近接する方向に撓んで全体として尻すぼみ形状となってアンカー本体１０に与える抵抗、つまり打込抵抗を減少させながら地盤５中を進んでいく。また、アンカー本体１０の先端部１４の進行に伴って引き抜き防止金具３０が地盤５内も進行するが、このとき羽根部材３２間の隙間３３を介して地盤５中の土や細かい石が捕集空間ＣＳに流入していく。
【００２８】
そして、アンカー本体１０をさらに打ち込んでいくと、例えば同図（ｂ）に示すように、一部の羽根部材３２ａが地盤５中の石ＲＣに当接して引き抜き防止金具３０に作用する抵抗が高まる。しかしながら、引き抜き防止金具３０は上記したようにアンカー本体１０に対して可動自在に構成されているため、羽根部材３２ａが石ＲＣと当接する点を作用点とし、基部３１とＥリング２２との当接点を支点として引き抜き防止金具３０に回転力が与えられる。これによって引き抜き防止金具３０はアンカー本体１０に対して傾斜して石ＲＣからの干渉を受け流し、上記抵抗が低減される。このような傾斜動作と並行してアンカー本体１０はさらに打ち込まれていき、引き抜き防止金具３０は石ＲＣから離れていく（同図（ｃ））。そして、同図（ｄ）に示すように予め設定した深さ位置にアンカー本体１０の先端部１４が達すると、アンカー本体１０の打ち込みを停止する。このようにアンカー本体１０の打ち込みを行っている間に隙間３３を介して地盤５中の土や細かい石が捕集空間ＣＳに流入し、引き抜き防止金具３０は捕集空間ＣＳで地盤５の土石をアンカー本体１０の先端側から後端側（地盤表面側）に向けて抱き込んでいる。このため、地盤５からのアンカー本体１０の引抜抵抗が高められる。
【００２９】
最後に、こうして地盤５に打ち込まれたアンカー本体１０の後端部１１、より詳しくは地盤５の表面上に残した後端部１１の谷部１２に落石防止網などの被係留物４を係止して係留する。
【００３０】
この状態において、例えば落石により落石防止網やワイヤーロープ等の被係留物４に引張力が与えられると、これがアンカー１に対する引抜力として作用するが、この場合においても、アンカー本体１０が地盤５から引き抜かれるのを効果的に防止することができる。というのも、引抜力が発生した場合、同図（ｅ）に示すように、地盤表面側へのアンカー本体１０の移動に伴い各羽根部材３２が地盤５の土石から抵抗を受けて変形するからである。より具体的には、各羽根部材３２は基部３１に対する傾斜角度θ（図２参照）が拡大する向きに変形し（つまり羽根部材３２が開き）、第１方向Ｘと直交する面内において引き抜き防止金具３０が地盤５の土石を抱え込む面積が変形前より増大する。その結果、上記面積が増大した分だけ引抜抵抗が増大し、地盤５に対してより一層抜け難くなる。
【００３１】
以上のように、本実施形態では、アンカー本体１０の後端部１１を叩くことで地盤５内にアンカー本体１０の先端部１４および引き抜き防止金具３０が埋め込まれる。この引き抜き防止金具３０は基部３１と４枚羽根部材３２とで囲まれる捕集空間ＣＳをアンカー１本体１０の先端の反対側に有しており、地盤５へのアンカー本体１０の打込によってアンカー本体１０とともに地盤５内に入り込みながら捕集空間ＣＳに流入する地盤５中の土石を引き抜き防止金具３０が捕集し、これが地盤５からのアンカー本体１０の引抜抵抗となる。このように簡単な作業により地盤５から抜け難いアンカー１が得られる。
【００３２】
また、引き抜き防止金具３０は、アンカー本体１０の先端部１４に取り付けられたＥリング２１、２２の間でアンカー本体１０の先端部１４に対して可動自在に設けられているため、アンカー本体１０を地盤５に打ち込むときに引き抜き防止金具３０は地盤５から受ける抵抗によってアンカー本体１０の先端部１４に対する姿勢を変化させる。したがって、アンカー本体１０に作用する抵抗を低減させながらアンカー１を施工することができる。このように、本実施形態によれば、地盤５から抜け難いアンカー１を優れた施工性で地盤５に埋め込むことができる。
【００３３】
また、引き抜き防止金具３０を構成する４枚の羽根部材３２が基部３１からアンカー本体１０の先端と反対側に向かって裾広がり状に傾斜するように、各羽根部材３２の一方端部が基部３１と繋がっている。したがって、アンカー本体１０を第１方向Ｘに打ち込んだ際、アンカー本体１０はより少ない打込抵抗で第１方向Ｘに確実にかつ安定的に案内される。このように上記構成を有する引き抜き防止金具３０を用いることでアンカー１の施工性をさらに高めることができる。
【００３４】
また、上記実施形態では、隣り合う羽根部材３２を互いに離間させて隙間３３を形成しているため、アンカー本体１０の打ち込みとともに隙間３３を介して地盤５中の土や細かい石が捕集空間ＣＳに流れ込み、地盤５へのアンカー本体１０の打込抵抗を低減させるとともに、地盤５からのアンカー本体１０の引抜抵抗を効果的に高めることができる。なお、本実施形態では各羽根部材３２の一方端部から他方端部にかけて隣り合う羽根部材３２を互いに離間させているが、各羽根部材３２の一方端部側のみまたは他方端部側のみ、隣り合う羽根部材３２が互いに離間して隙間が形成されるように構成してもよい。
【００３５】
さらに、上記実施形態では、アンカー本体１０に引抜力が与えられてアンカー本体１０が地盤表面側に移動した際に、基部３１に対する傾斜角度が拡大する向きに全羽根部材３２が変形するように構成している。したがって、落石により落石防止網やワイヤーロープ等の被係留物４に引張力が与えられたとしても、それに応じて全羽根部材３２が変形して地盤５に対して抜け難くなる抵抗を発生させ、この抵抗によりアンカー１をより抜け難い状態とすることができる。
【００３６】
なお、本発明は上記実施形態に限定されるものではなく、その趣旨を逸脱しない限りにおいて上述したものに対して種々の変更を加えることが可能である。例えば、上記実施形態では、図１における側面視で逆円錐台形状の羽根部材３２を４枚用いているが、羽根部材３２の形状や枚数はこれに限定されるものではなく、任意形状の羽根部材を用いることができる。例えば図５に示すように矩形形状の羽根部材３２を用いてもよい。また、図６に示すように羽根部材３２の他方端部３２ｂを基部３１の反対側に折り広げてもよい。また、基部３１の形状についてもドーナツ円盤形状に限定されるものではなく、任意である。
【００３７】
また、上記実施形態では、４枚の羽根部材３２が基部３１からアンカー本体１０の先端と反対側に向かって裾広がり状に傾斜するように設けているが、基部３１に対する各羽根部材３２の傾斜角度θを９０゜に設定してもよい。
【００３８】
また、上記実施形態では、Ｅリング２１、２２により第１方向Ｘにおける引き抜き防止金具３０を規制しているが、Ｅリング２１、２２の代わりに、他の係止部材、例えばＣリングなどを用いてもよい。また、Ｅリング２２をリング溝１７に取り付ける代わりに、リング溝１７の代わりにアンカー本体１０の側面部に対し、リング状突起を設けたり、複数の突起部をリング状に設けてもよい。
【００３９】
さらに、上記実施形態においては落石防止網やワイヤーロープ等を固定する場合を例に挙げているが、本発明の適用範囲はこれに限らない。例えば、テントなどを設置する場合に支柱を引っ張るためのロープを固定するためのアンカーにも同様に適用できる。
【符号の説明】
【００４０】
１…アンカー
４…被係留物
５…地盤
１０…アンカー本体
１４…（アンカー本体の）先端部
２１…Ｅリング（第１係止部）
２２…Ｅリング（第２係止部）
３０…引き抜き防止金具（抜止部材）
３１…基部
３２、３２ａ…羽根部材
３３…隙間
ＣＳ…捕集空間
θ…傾斜角度
【図１】
0005416051.tif 000002
【図２】
0005416051.tif 000003
【図３】
0005416051.tif 000004
【図４】
0005416051.tif 000005
【図５】
0005416051.tif 000006
【図６】
0005416051.tif 000007